(57)【要約】【課題】予熱に要するエネルギーが無駄になり難い熱供給システムを提供する。【解決手段】熱供給システムが備える記憶装置５は、複数の熱利用装置Ｄのそれぞれについて、熱利用運転が行われると予測される時間帯である個別運転時間帯を記憶し、及び、個別運転時間帯に熱利用運転が行われる確度が高いほど大きな値が設定される確度値を記憶し、制御装置４は、分岐部６よりも下流側の一つの流路を介して熱媒の供給を受ける複数の熱利用装置Ｄを同一の装置群１０に属するものとして管理し、特定の装置群１０を構成する複数の熱利用装置Ｄのそれぞれについての個別運転時間帯に確度値を当てはめて導出される確度値の個別時間的変化データを複数の熱利用装置Ｄについて合計することで、確度値の合計の時間的変化データを導出し、確度値の合計が所定の閾値以上となる時刻に先立って特定の装置群１０の予熱運転を行う。【選択図】図１
2016183843.tif 000002
【特許請求の範囲】
【請求項１】
熱媒が流れる熱供給路と、
前記熱供給路を流れる熱媒に熱を与える熱供給運転を行うことができる熱供給装置と、
前記熱供給路を介して熱媒の供給を受けて、熱媒が保有している熱を利用する熱利用運転を行うことができる複数の熱利用装置と、
前記熱供給装置の熱供給運転及び複数の前記熱利用装置の熱利用運転を制御する制御装置と、
情報を記憶する記憶装置とを備え、
前記記憶装置は、前記複数の熱利用装置のそれぞれについて、前記熱利用運転が行われると予測される時間帯である個別運転時間帯を記憶し、及び、前記個別運転時間帯に前記熱利用運転が行われる確度が高いほど大きな値が設定される確度値を記憶し、
前記熱供給路は、途中の分岐部で複数の流路に分岐し、
前記制御装置は、
前記分岐部の下流側では前記複数の流路毎に熱媒を流すことができるように構成され、及び、前記分岐部よりも下流側の一つの前記流路を介して熱媒の供給を受ける複数の前記熱利用装置を同一の装置群に属するものとして管理し、
特定の前記装置群を構成する複数の前記熱利用装置のそれぞれについての前記個別運転時間帯に前記確度値を当てはめて導出される前記確度値の個別時間的変化データを複数の前記熱利用装置について合計することで、前記確度値の合計の時間的変化データを導出し、前記確度値の合計が所定の閾値以上となる時刻に先立って前記特定の装置群の予熱運転を行うように構成されている熱供給システム。
【請求項２】
熱媒が流れる熱供給路と、
前記熱供給路を流れる熱媒に熱を与える熱供給運転を行うことができる熱供給装置と、
前記熱供給路を介して熱媒の供給を受けて、熱媒が保有している熱を利用する熱利用運転を行うことができる複数の熱利用装置と、
前記熱供給装置の熱供給運転及び複数の前記熱利用装置の熱利用運転を制御する制御装置と、
情報を記憶する記憶装置とを備え、
前記記憶装置は、前記複数の熱利用装置のそれぞれについて、前記熱利用運転が行われると予測される時間帯である個別運転時間帯を記憶し、及び、前記個別運転時間帯に前記熱利用運転が行われる確度が高いほど大きな値が設定される確度値を記憶し、及び、予熱運転をすることの重要度が高いほど大きな値が設定される端末重要度値を記憶し、
前記熱供給路は、途中の分岐部で複数の流路に分岐し、
前記制御装置は、
前記分岐部の下流側では前記複数の流路毎に熱媒を流すことができるように構成され、及び、前記分岐部よりも下流側の一つの前記流路を介して熱媒の供給を受ける複数の前記熱利用装置を同一の装置群に属するものとして管理し、
特定の前記装置群を構成する複数の前記熱利用装置のそれぞれについての前記個別運転時間帯に前記確度値と前記端末重要度値との積を当てはめて導出される前記確度値と前記端末重要度値との積の個別時間的変化データを複数の前記熱利用装置について合計することで、前記確度値と前記端末重要度値との積の合計の時間的変化データを導出し、前記確度値と前記端末重要度値との積の合計が所定の閾値以上となる時刻に先立って前記特定の装置群の予熱運転を行うように構成されている熱供給システム。
【請求項３】
前記記憶装置は、前記複数の熱利用装置のそれぞれについて、前記熱利用運転の開始に先立つ予熱運転の必要性が高いほど大きな値が設定される予熱必要度値を記憶し、
前記制御装置は、前記特定の装置群の前記予熱運転を行うとき、当該装置群に属する前記複数の熱利用装置のうち、前記予熱必要度値が最も大きい熱利用装置に対して優先して熱量を供給する請求項１又は２に記載の熱供給システム。
【請求項４】
前記制御装置は、前記予熱運転において、前記熱利用運転で前記熱利用装置に供給する熱媒の温度よりも低い温度の熱媒を前記装置群に供給する請求項１〜３の何れか一項に記載の熱供給システム。
【請求項５】
前記制御装置は、前記予熱運転において、前記熱利用運転で前記熱利用装置に供給する熱媒の温度と同じ温度の熱媒を前記装置群に供給する請求項１〜３の何れか一項に記載の熱供給システム。
【請求項６】
一つの前記装置群に属する前記複数の熱利用装置は、住戸内の同じ部屋又は二つの隣接する部屋で使用される装置である請求項１〜５の何れか一項に記載の熱供給システム。
【発明の詳細な説明】
【技術分野】
【０００１】
本発明は、熱利用装置に熱を供給できる熱供給システムに関する。
【背景技術】
【０００２】
熱媒の供給を受けて、その熱媒が保有している熱を利用する運転を行うことができる装置として、例えば床暖房装置や浴室暖房乾燥装置や温水ドライヤー装置などの熱利用装置がある。これらの装置は、使用者からの要求に応じて動作開始するものであるが、予熱を行っておけば、使用者からの要求を受けた後で時間的に間を置かずに使用者に対して十分な熱を供給できる。
【０００３】
特許文献１には、熱消費部からの熱消費要求があると、運転制御手段が、熱消費運転を行う前に予熱運転を行う熱供給設備が記載されている。
【先行技術文献】
【特許文献】
【０００４】
【特許文献１】特開２０１１−１７４６８３号公報
【発明の概要】
【発明が解決しようとする課題】
【０００５】
特許文献１に記載の熱供給設備では、特定の熱消費部からの熱消費要求があった後で予熱運転を開始し、その後に実際の運転を行うので、その熱消費部の使用者の待ち時間が長くなるという問題がある。
尚、特定の熱消費部からの熱消費要求がある前に予熱運転を開始すれば、その特定の熱消費部の使用者の待ち時間は短くなる或いは待ち時間は無くなるが、予熱運転を行ったにも関わらず熱消費要求が無かった場合にはその予熱運転が無駄になるという問題がある。
【０００６】
本発明は、上記の課題に鑑みてなされたものであり、その目的は、予熱に要するエネルギーが無駄になり難い熱供給システムを提供する点にある。
【課題を解決するための手段】
【０００７】
上記目的を達成するための本発明に係る熱供給システムの特徴構成は、熱媒が流れる熱供給路と、前記熱供給路を流れる熱媒に熱を与える熱供給運転を行うことができる熱供給装置と、前記熱供給路を介して熱媒の供給を受けて、熱媒が保有している熱を利用する熱利用運転を行うことができる複数の熱利用装置と、前記熱供給装置の熱供給運転及び複数の前記熱利用装置の熱利用運転を制御する制御装置と、情報を記憶する記憶装置とを備え、
前記記憶装置は、前記複数の熱利用装置のそれぞれについて、前記熱利用運転が行われると予測される時間帯である個別運転時間帯を記憶し、及び、前記個別運転時間帯に前記熱利用運転が行われる確度が高いほど大きな値が設定される確度値を記憶し、
前記熱供給路は、途中の分岐部で複数の流路に分岐し、
前記制御装置は、
前記分岐部の下流側では前記複数の流路毎に熱媒を流すことができるように構成され、及び、前記分岐部よりも下流側の一つの前記流路を介して熱媒の供給を受ける複数の前記熱利用装置を同一の装置群に属するものとして管理し、
特定の前記装置群を構成する複数の前記熱利用装置のそれぞれについての前記個別運転時間帯に前記確度値を当てはめて導出される前記確度値の個別時間的変化データを複数の前記熱利用装置について合計することで、前記確度値の合計の時間的変化データを導出し、前記確度値の合計が所定の閾値以上となる時刻に先立って前記特定の装置群の予熱運転を行うように構成されている点にある。
【０００８】
上記特徴構成によれば、記憶装置は、複数の熱利用装置のそれぞれについて、熱利用運転が行われると予測される時間帯である個別運転時間帯を記憶し、及び、個別運転時間帯に熱利用運転が行われる確度が高いほど大きな値が設定される確度値を記憶している。その結果、制御装置は、特定の装置群を構成する複数の熱利用装置のそれぞれについての上記個別運転時間帯に確度値を当てはめて導出される確度値の個別時間的変化データを複数の熱利用装置について合計することで、確度値の合計の時間的変化データを導出できる。そして、制御装置は、導出した確度値の合計が所定の閾値以上となる時刻に先立って特定の装置群の予熱運転を行う。つまり、熱利用運転が行われる確度が高いときに限定して予熱運転が行われるので、予熱運転に要するエネルギーが無駄になり難くなる。
加えて、複数の熱利用装置を有する装置群には、一つの流路を介して選択的に熱媒の供給を行うことができる。予熱運転を行うときもその一つの流路を介して装置群に対する熱媒の供給を行えばよく、他の流路に接続されている他の装置群には予熱運転のための熱媒を供給しなくてもよい。そして、特定の装置群を構成する複数の熱利用装置のうちの何れかの熱利用装置の熱利用運転が行われなくても、他の熱利用装置の熱利用運転が行われれば、その装置群の予熱運転を行ったことによる効果を得ることができる。
従って、予熱に要するエネルギーが無駄になり難い熱供給システムを提供できる。
【０００９】
本発明に係る熱供給システムの別の特徴構成は、熱媒が流れる熱供給路と、
前記熱供給路を流れる熱媒に熱を与える熱供給運転を行うことができる熱供給装置と、
前記熱供給路を介して熱媒の供給を受けて、熱媒が保有している熱を利用する熱利用運転を行うことができる複数の熱利用装置と、
前記熱供給装置の熱供給運転及び複数の前記熱利用装置の熱利用運転を制御する制御装置と、
情報を記憶する記憶装置とを備え、
前記記憶装置は、前記複数の熱利用装置のそれぞれについて、前記熱利用運転が行われると予測される時間帯である個別運転時間帯を記憶し、及び、前記個別運転時間帯に前記熱利用運転が行われる確度が高いほど大きな値が設定される確度値を記憶し、及び、予熱運転をすることの重要度が高いほど大きな値が設定される端末重要度値を記憶し、
前記熱供給路は、途中の分岐部で複数の流路に分岐し、
前記制御装置は、
前記分岐部の下流側では前記複数の流路毎に熱媒を流すことができるように構成され、及び、前記分岐部よりも下流側の一つの前記流路を介して熱媒の供給を受ける複数の前記熱利用装置を同一の装置群に属するものとして管理し、
特定の前記装置群を構成する複数の前記熱利用装置のそれぞれについての前記個別運転時間帯に前記確度値と前記端末重要度値との積を当てはめて導出される前記確度値と前記端末重要度値との積の個別時間的変化データを複数の前記熱利用装置について合計することで、前記確度値と前記端末重要度値との積の合計の時間的変化データを導出し、前記確度値と前記端末重要度値との積の合計が所定の閾値以上となる時刻に先立って前記特定の装置群の予熱運転を行うように構成されている点にある。
【００１０】
上記特徴構成によれば、記憶装置は、複数の熱利用装置のそれぞれについて、熱利用運転が行われると予測される時間帯である個別運転時間帯を記憶し、及び、個別運転時間帯に熱利用運転が行われる確度が高いほど大きな値が設定される確度値を記憶し、及び、予熱運転をすることの重要度が高いほど大きな値が設定される端末重要度値を記憶している。その結果、制御装置は、特定の装置群を構成する複数の熱利用装置のそれぞれについての上記個別運転時間帯に確度値と端末重要度値との積を当てはめて導出される確度値と端末重要度値との積の個別時間的変化データを複数の熱利用装置について合計することで、確度値と端末重要度値との積の合計の時間的変化データを導出できる。そして、制御装置は、導出した確度値と端末重要度値との積の合計が所定の閾値以上となる時刻に先立って特定の装置群の予熱運転を行う。つまり、熱利用運転が行われる確度が高く、且つ、熱利用装置の予熱運転をすることの重要度が高い時刻に限定して予熱運転が行われるので、予熱運転に要するエネルギーが無駄になり難くなる。
加えて、複数の熱利用装置を有する装置群には、一つの流路を介して選択的に熱媒の供給を行うことができる。予熱運転を行うときもその一つの流路を介して装置群に対する熱媒の供給を行えばよく、他の流路に接続されている他の装置群には予熱運転のための熱媒を供給しなくてもよい。そして、特定の装置群を構成する複数の熱利用装置のうちの何れかの熱利用装置の熱利用運転が行われなくても、他の熱利用装置の熱利用運転が行われれば、その装置群の予熱運転を行ったことによる効果を得ることができる。
従って、予熱に要するエネルギーが無駄になり難い熱供給システムを提供できる。
【００１１】
本発明に係る熱供給システムの更に別の特徴構成は、前記記憶装置は、前記複数の熱利用装置のそれぞれについて、前記熱利用運転の開始に先立つ予熱運転の必要性が高いほど大きな値が設定される予熱必要度値を記憶し、
前記制御装置は、前記特定の装置群の前記予熱運転を行うとき、当該装置群に属する前記複数の熱利用装置のうち、前記予熱必要度値が最も大きい熱利用装置に対して優先して熱量を供給する点にある。
【００１２】
上記特徴構成によれば、予熱必要度値が最も大きい熱利用装置で実際に熱利用運転が行われる前に予熱運転を行うことができるという利点がある。
【００１３】
本発明に係る熱供給システムの更に別の特徴構成は、前記制御装置は、前記予熱運転において、前記熱利用運転で前記熱利用装置に供給する熱媒の温度よりも低い温度の熱媒を前記装置群に供給する点にある。
【００１４】
上記特徴構成によれば、予熱運転では、熱利用運転で熱利用装置に供給する熱媒の温度よりも低い温度の熱媒を装置群に供給するので、相対的に小さいエネルギーで予熱運転を行うことができる。加えて、予熱運転を行った後で実際に熱利用運転が行われなかったとしても、無駄になるエネルギーを小さく抑えることができる。
【００１５】
本発明に係る熱供給システムの更に別の特徴構成は、前記制御装置は、前記予熱運転において、前記熱利用運転で前記熱利用装置に供給する熱媒の温度と同じ温度の熱媒を前記装置群に供給する点にある。
【００１６】
上記特徴構成によれば、予熱運転では、熱利用運転で熱利用装置に供給する熱媒の温度と同じ温度の熱媒を装置群に供給するので、予熱運転を行っている途中で（即ち、熱利用運転の開始前の時点で）、熱利用装置での熱利用運転を実施できる状態が既に実現される。その結果、熱利用装置において熱利用運転の開始が指示された場合には、即座にその熱利用運転を充分な出力で開始することができる。
【００１７】
本発明に係る熱供給システムの更に別の特徴構成は、一つの前記装置群に属する前記複数の熱利用装置は、住戸内の同じ部屋又は二つの隣接する部屋で使用される装置である点にある。
【００１８】
使用者が住戸内で行動するとき、複数の部屋の間を頻繁に移動しながらそれら複数の部屋にある複数の熱利用装置を同時又は順番に利用するよりも、同じ一つの部屋又は二つの隣接する部屋にある複数の熱利用装置を同時又は順番に利用することの方が多い。
そこで本特徴構成では、一つの装置群を、住戸内の同じ部屋又は二つの隣接する部屋で使用される複数の熱利用装置で構成する。つまり、複数の熱利用装置が同時又は順番に利用されることが期待されるので、装置群としてそれら複数の熱利用装置の予熱を行う利点が大きくなる。
【図面の簡単な説明】
【００１９】
【図１】熱供給システムの構成を示す図である。
【図２】装置群の構成を示す図である。
【図３】複数の熱利用装置の個別運転時間帯の例を示すグラフである。
【図４】複数の熱利用装置による確度値の合計時間的変化データの例を示すグラフである。
【図５】別実施形態の熱供給システムの構成を示す図である。
【発明を実施するための形態】
【００２０】
＜第１実施形態＞
以下に図面を参照して本発明の第１実施形態に係る熱供給システムについて説明する。
図１は、熱供給システムの構成を示す図である。図示するように、熱供給システムは、熱供給路２と、熱供給装置１と、複数の熱利用装置Ｄで構成される装置群１０と、制御装置４と、記憶装置５とを備える。制御装置４は、熱供給システムの運転を制御する。記憶装置５は、熱供給システムで取り扱われる情報を記憶する。
【００２１】
熱供給装置１は、熱源装置を備える。熱源装置は、瞬間湯沸かし器、熱電併給装置などである。あるいは、熱供給装置１が、熱電併給装置から放出された熱を蓄熱タンクに蓄える構成としてもよい。熱電併給装置を用いる場合、熱と電気とを併せて発生させることのできる装置であれば、どのような構成のものでも構わない。例えば、燃料電池や、エンジンとそのエンジンによって駆動される発電機とを備えてエンジンの排熱と発電機の発電電力とを利用するような装置などを、熱電併給装置として利用できる。
【００２２】
熱供給路２では、ポンプ３によって熱媒が流される。そして、熱供給装置１から放出された熱が熱媒によって回収され、その熱媒が装置群１０に供給されて装置群１０での熱の利用が行われる。熱供給路２は、途中の分岐部６で複数の流路２ａ，２ｂに分岐する。各流路２ａ，２ｂには弁Ｖ１，Ｖ２が設けられており、その弁Ｖ１，Ｖ２の開閉状態を制御することで、各流路２ａ，２ｂにおける熱媒の流通量が調節される。つまり、分岐部６の下流側では複数の流路２ａ，２ｂ毎に熱媒を流すことができるように構成されている。弁Ｖ１，Ｖ２の動作は制御装置４が制御する。そして、制御装置４は、分岐部６よりも下流側の一つの流路を介して熱媒の供給を受ける複数の熱利用装置Ｄを同一の装置群１０に属するものとして管理する。本実施形態では、制御装置４は、流路２ａを介して熱媒の供給を受ける複数の熱利用装置Ｄ（装置１１，装置１２，装置１３）を同一の装置群１０Ａに属するものとして管理し、流路２ｂを介して熱媒の供給を受ける複数の熱利用装置Ｄ（装置１４，装置１５，装置１６）を同一の装置群１０Ｂに属するものとして管理する。
【００２３】
このように、複数の熱利用装置Ｄを有する装置群１０には、一つの流路を介して選択的に熱媒の供給を行うことができる。予熱運転を行うときもその一つの流路を介して装置群１０に対する熱媒の供給を行えばよく、他の流路に接続されている他の装置群１０には予熱運転のための熱媒を供給しなくてもよい。そして、特定の装置群１０を構成する複数の熱利用装置Ｄのうちの何れかの熱利用装置Ｄの熱利用運転が行われなくても、他の熱利用装置Ｄの熱利用運転が行われれば、その装置群１０の予熱運転を行ったことによる効果を得ることができる。
【００２４】
一つの装置群１０に属する複数の熱利用装置Ｄは、住戸内の同じ部屋又は二つの隣接する部屋で使用される装置であることが好ましい。具体的には、装置群１０Ａは、洗面室及び浴室という二つの隣接する部屋で使用される複数の熱利用装置Ｄ（浴室暖房乾燥装置１１、温水ドライヤー装置１２、温水ファンヒーター装置１３）を有する。装置群１０Ｂは、リビングダイニングキッチン（ＬＤＫ）という同じ部屋で使用される複数の熱利用装置Ｄ（リビング用床暖房装置１４、ダイニング用床暖房装置１５、キッチン用床暖房装置１６）を有する。
【００２５】
図２は、装置群１０Ａの構成を示す図である。図示するように、熱媒が流れる流路２ａは分岐部７で流路Ｌ１、Ｌ２、Ｌ３に分岐する。流路Ｌ１の途中には弁Ｖ３を介して浴室暖房乾燥装置１１が設けられる。流路Ｌ２の途中には弁Ｖ４を介して温水ドライヤー装置１２が設けられる。流路Ｌ３の途中には弁Ｖ５を介して温水ファンヒーター装置１３が設けられる。弁Ｖ３〜弁Ｖ５の開閉状態を制御装置４が制御することで、各流路Ｌ１〜Ｌ３における熱媒の流通量が調節される。つまり、分岐部７の下流側では複数の流路Ｌ１〜Ｌ３毎に熱媒を流すことができるように構成されている。
【００２６】
加えて、図２に示す例では、相対的に高温の熱媒を要求する浴室暖房乾燥装置１１及び温水ドライヤー装置１２よりも下流側に、相対的に低温の熱媒を要求する温水ファンヒーター装置１３が位置している。つまり、浴室暖房乾燥装置１１及び温水ドライヤー装置１２で利用された後の熱媒を、温水ファンヒーター装置１３で再び利用させることもできる。従って、無駄のない熱利用を可能になる。
【００２７】
図３は、複数の熱利用装置Ｄの個別運転時間帯の例を示すグラフである。具体的には、浴室暖房乾燥装置１１及び温水ドライヤー装置１２及び温水ファンヒーター装置１３のそれぞれの熱利用運転が行われると予測される時間帯である個別運転時間帯を示すグラフである。個別運転時間帯以外の時間帯は、熱利用運転が行われないと予測される時間帯である非個別運転時間帯に対応する。例えば、個別運転時間帯及び非個別運転時間帯は、過去の実際の熱利用装置Ｄの運転パターンに基づいて予測される時間帯や、使用者が自ら入力した時間帯などである。これらの個別運転時間帯及び非個別運転時間帯に関する情報は記憶装置５に記憶されている。一例を挙げると、制御装置４は、記憶装置５に記憶されている過去の実際の熱利用装置Ｄの運転パターンを読み出して、過去５日間で２０％以上運転されていた時間帯を、熱利用運転が行われると予測される時間帯である個別運転時間帯に設定し、過去５日間で２０％未満運転されていた時間帯を、熱利用運転が行われないと予測される時間帯である非個別運転時間帯に設定し、それらの情報を記憶装置５に記憶させる。
【００２８】
図３に示した例では、浴室暖房乾燥装置１１は、時刻６時〜時刻８時の間、及び、時刻１９時〜時刻２２時の間に個別運転時間帯が有り、その他の時間帯は非個別運転時間帯である。温水ドライヤー装置１２は、時刻６時〜時刻７時の間に個別運転時間帯が有り、その他の時間帯は非個別運転時間帯である。温水ファンヒーター装置１３は、時刻６時〜時刻８時の間、及び、時刻１９時〜時刻２２時の間に個別運転時間帯が有り、その他の時間帯は非個別運転時間帯である。
【００２９】
加えて、記憶装置５は、各個別運転時間帯に熱利用運転が行われる確度が高いほど大きな値が設定される確度値を記憶する。例えば、制御装置４は、過去５日間に８０％以上の割合で運転が行われた個別運転時間帯には確度値として３を付与し、５０％以上８０％未満の割合で運転が行われた個別運転時間帯には確度値として２を付与し、２０％以上５０％未満の割合で運転が行われた時間帯には確度値として１を付与して、記憶装置５に記憶させる。尚、２０％未満の割合で運転が行われた時間帯は上述した非個別運転時間帯になり、確度値として０が付与されているのと同じである。図３には、確度値についても記載する。
【００３０】
図４は、複数の熱利用装置Ｄによる確度値の合計時間的変化データの例を示すグラフである。制御装置４は、特定の装置群１０を構成する複数の熱利用装置Ｄのそれぞれについての個別運転時間帯に確度値を当てはめて導出される確度値の個別時間的変化データを複数の熱利用装置Ｄについて合計することで、確度値の合計の時間的変化データを導出する。そして、制御装置４は、確度値の合計の時間的変化データが所定の閾値以上となる時刻、即ち、熱利用運転が行われる確度が相対的に高い時刻、に先立って特定の装置群１０の予熱運転を行うことを決定する。図４に示した例では、確度値の合計の閾値を３としているので、時刻６時〜時刻７時の運転に対して予熱運転を行うことが決定される。このように、熱利用運転が行われる確度が高いときに限定して予熱運転が行われることになるので、予熱運転に要するエネルギーが無駄になり難くなる。
【００３１】
加えて、記憶装置５は、複数の熱利用装置Ｄのそれぞれについて、熱利用運転の開始に先立つ予熱運転の必要性が高いほど大きな値が設定される予熱必要度値を記憶している。表１に示すのは、予熱必要度値の例である。表１に示す例では、即座に高温の温風が出ることが求められる温水ドライヤー装置１２に対して、最も大きい予熱必要度値が設定されている。これらの予熱必要度値は、制御装置４が、装置の属性に基づいて自動的に設定する値や、使用者が入力した値などである。
【００３２】
【表１】
2016183843.tif 000003
【００３３】
そして、制御装置４は、特定の装置群１０の予熱運転を行うとき、その装置群１０に属する複数の熱利用装置Ｄのうち、予熱必要度値が最も大きい熱利用装置Ｄに対して優先して、熱供給装置１から熱量を供給する。表１に示した例では、温水ドライヤー装置１２の予熱必要度値が最も大きいので、制御装置４は温水ドライヤー装置１２に優先して熱量を供給する。このとき、制御装置４は、熱供給装置１を熱供給運転させ、弁Ｖ４を開放し且つ弁Ｖ３，Ｖ５を閉止して、予熱必要度値が最も大きい温水ドライヤー装置１２のみに高温の熱媒が供給されるようにしてもよい。或いは、制御装置４は、予熱必要度値の大きさに応じた割合で各装置に熱媒が供給されるようにしてもよい。例えば、制御装置４は、装置群１０Ａに供給される全熱媒のうち、温水ドライヤー装置１２に５／１０の熱媒を供給し、浴室暖房乾燥装置１１に３／１０の熱媒を供給し、温水ファンヒーター装置１３に２／１０の熱媒を供給するように、弁Ｖ３，Ｖ４，Ｖ５の開度を調節する。
【００３４】
また、制御装置４は、予熱運転において、熱利用運転で熱利用装置Ｄに供給する熱媒の温度よりも低い温度の熱媒を、熱供給装置１から装置群１０に供給することができる。この場合、相対的に小さいエネルギーで予熱運転を行うことができる。加えて、予熱運転を行った後で実際に熱利用運転が行われなかったとしても、無駄になるエネルギーを小さく抑えることができる。
或いは、制御装置４は、予熱運転において、熱利用運転で熱利用装置Ｄに供給する熱媒の温度と同じ温度の熱媒を、熱供給装置１から装置群１０に供給してもよい。この場合、予熱運転を行っている途中で（即ち、熱利用運転の開始前の時点で）、熱利用装置Ｄでの熱利用運転を実施できる状態が既に実現される。その結果、熱利用装置Ｄにおいて熱利用運転の開始が指示された場合には、即座にその熱利用運転を充分な出力で開始することができる。
【００３５】
制御装置４は、以上のようにして予熱運転を行い、その後、何れかの熱利用装置Ｄが実際に利用されはじめたらその装置のみに熱媒を流す熱利用運転を行い、他の熱利用装置Ｄへの熱媒の供給を停止させる（即ち、予熱運転を停止させる）。或いは、制御装置４は、他の熱利用装置Ｄへの予熱運転を継続して行ってもよい。
【００３６】
＜第２実施形態＞
第２実施形態の熱供給システムは、上述した確度値だけではなく、熱利用装置Ｄの重要性をも考慮して特定の装置群１０の予熱運転を行うか否かを決定する点で上記第１実施形態と異なっている。以下に第２実施形態の熱供給システムについて説明するが、第１実施形態と同様の構成については説明を省略する。
【００３７】
本実施形態では、記憶装置５は、各熱利用装置Ｄについて、予熱運転をすることの重要度に対応する端末重要度値を記憶している。つまり、記憶装置５は、複数の熱利用装置Ｄのそれぞれについて、予熱運転をすることの重要度が高いほど大きな値が設定される端末重要度値を記憶している。この端末重要度値は、各熱利用装置Ｄに固有の初期設定値として記憶装置５に記憶されている場合や、使用者が入力した値などである。或いは、この端末重要度値は、上述した予熱必要度値と同じ値であってもよい。
【００３８】
制御装置４は、各熱利用装置Ｄについて、上記確度値と端末重要度値との積を導出する。例えば、浴室暖房乾燥装置１１の端末重要度値が「１．５」である場合、制御装置４は、図３に例示した浴室暖房乾燥装置１１の個別運転時間帯の確度値である「１」と端末重要度値である「１．５」との積を導出する。また、温水ドライヤー装置１２の端末重要度値が「２．５」である場合、制御装置４は、図３に例示した温水ドライヤー装置１２の個別運転時間帯の確度値である「２」と端末重要度値である「２．５」との積を導出する。更に、温水ファンヒーター装置１３の端末重要度値が「１」である場合、制御装置４は、図３に例示した温水ファンヒーター装置１３の個別運転時間帯の確度値である「１」と端末重要度値である「１」との積を導出する。
【００３９】
このようにして、制御装置４は、特定の装置群１０を構成する複数の熱利用装置Ｄのそれぞれについての個別運転時間帯に上述した確度値とこの端末重要度値との積を当てはめて導出される確度値と端末重要度値との積の個別時間的変化データを複数の熱利用装置Ｄについて合計することで、確度値と端末重要度値との積の合計の時間的変化データを導出する。そして、制御装置４は、確度値と端末重要度値との積の合計の時間的変化データが所定の閾値以上となる時刻、即ち、熱利用運転が行われる確度が相対的に高く、且つ、熱利用装置Ｄの予熱運転をすることの重要度が高い時刻に先立って特定の装置群１０の予熱運転を行うことを決定する。
【００４０】
＜別実施形態＞
＜１＞
上記実施形態では、熱供給システムの構成について具体例を挙げて説明したが、その構成は適宜変更可能である。例えば、上記実施形態では、装置群１０Ａ及び装置群１０Ｂという二つの装置群１０を有する例を説明したが、熱供給システムが三以上の装置群１０を有していてもよい。また、各装置群１０が有する熱利用装置Ｄの数にも制限はない。
また、上記実施形態では、熱利用装置Ｄの例を幾つか挙げたが、他の様々な装置を本発明の熱供給システムで利用できる。
【００４１】
他にも、熱媒が流れる熱供給路２の構成を変更してもよい。
図５は、別実施形態の熱供給システムの構成を示す図である。図５に示すように、この熱供給システムでは、装置群１０よりも下流側の熱供給路２の途中に分岐路２ｃを接続し、その分岐路２ｃの途中に熱交換器９を設けている。そして、熱供給路２の途中に設けられる弁Ｖ６が開放されていれば分岐路２ｃには熱媒が殆ど流れず、弁Ｖ６が閉止されていれば分岐路２ｃに全ての熱媒が流れる。そして、分岐路２ｃに熱媒を流しているときに、熱交換器９で、他の熱媒体との熱交換を行わせてもよい。例えば、熱交換器９に、風呂へ供給される湯水が流れる風呂用湯水供給路２０を導入すれば、熱交換器９において、風呂に供給される湯水と熱供給路２を流れる熱媒との熱交換が行われる。
従って、熱交換器９において、予熱運転を行うための熱供給路２を流していた熱媒と、風呂へ供給される湯水との熱交換を行わせれば、予熱運転のために熱供給装置１から供給した熱の残りが、風呂へ供給される湯水で有効に利用できることになる。
【００４２】
＜２＞
上記実施形態では、確度値、予熱必要度値、端末重要度値のそれぞれについて具体的な数値を例示したが、それらの値は適宜変更可能である。
【産業上の利用可能性】
【００４３】
本発明は、熱供給システムに利用できる。
【符号の説明】
【００４４】
１  熱供給装置
２  熱供給路
２ａ  流路
２ｂ  流路
４  制御装置
５  記憶装置
６  分岐部
９  熱交換器
１０  装置群
１１  浴室暖房乾燥装置
１２  温水ドライヤー装置
１３  温水ファンヒーター装置
１４  床暖房装置
１５  床暖房装置
１６  床暖房装置
２０  風呂用湯水供給路
Ｄ  熱利用装置
【図１】
2016183843.tif 000004
【図２】
2016183843.tif 000005
【図３】
2016183843.tif 000006
【図４】
2016183843.tif 000007
【図５】
2016183843.tif 000008